(57)【要約】【課題】円筒状の発光管と、該発光管の外周面上に、前記発光管の軸と略平行に配置されるトリガー電極とを有するフラッシュランプ、およびそのフラッシュランプを用いたフラッシュ定着装置に関し、濃淡ムラのないフラッシュ定着装置及びフラッシュランプを提供することを課題とする。【解決手段】フラッシュランプ５５は、円筒状の発光管５７と、発光管５７の外周面上に、発光管５７の軸と略平行に配置される第１トリガー電極６１、第２トリガー電極６３とを有し、発光管５７の軸と直交する断面上で、軸を通り、媒体のトナー像が形成された面と平行な直線と、発光管５７の外周面との交点を基準として、角度位置０°±３０°の範囲に第１トリガー電極６１を、角度位置１８０°±３０°の範囲に第２トリガー電極６３をそれぞれ設ける。【選択図】      図１
2004184478.tif 000002
【特許請求の範囲】
【請求項１】
フラッシュランプを発光させ、その輻射熱により媒体上に形成されたトナー像を定着させるフラッシュ定着装置において、
前記フラッシュランプは、円筒状の発光管と、該発光管の外周面上に、前記発光管の軸と略平行に配置される２つのトリガー電極とを有し、
前記発光管の軸と直交する断面上で、前記軸を通り、前記媒体のトナー像が形成された面と平行な直線と、前記発光管の外周面との交点を基準として、
角度位置０°±３０°の範囲に第１トリガー電極を、
角度位置１８０°±３０°の範囲に第２トリガー電極を、
それぞれ設けたことを特徴とするフラッシュ定着装置。
【請求項２】
前記トリガー電極は、前記発光管の外周面上に形成された導電性金属の皮膜であることを特徴とする請求項１記載のフラッシュ定着装置。
【請求項３】
前記トリガー電極は、前記発光管外周面に沿って配置された導電性金属棒であることを特徴とする請求項１記載のフラッシュ定着装置。
【請求項４】
前記導電性金属棒と、前記発光管の外周面との間隔は、０．５ｍｍ以下であることを特徴とする請求項４記載のフラッシュ定着装置。
【請求項５】
円筒状の発光管と、該発光管の外周面上に、前記発光管の軸と略平行に配置されるトリガー電極とを有するフラッシュランプにおいて、
前記発光管の軸と直交する断面上で、前記軸を通る直線と前記発光管の外周面との交点を基準として、
角度位置０°±３０°の範囲に第１トリガー電極を、
角度位置１８０°±３０°の角度位置の範囲に第２トリガー電極を、
それぞれ設けたことを特徴とするフラッシュランプ。
【発明の詳細な説明】
【０００１】
【発明の属する技術分野】
本発明は、円筒状の発光管と、該発光管の外周面上に、前記発光管の軸と略平行に配置されるトリガー電極とを有するフラッシュランプ、およびそのフラッシュランプを用いたフラッシュ定着装置に関する。
【０００２】
【従来の技術】
最初に、図９を用いて従来のフラッシュ定着装置を説明する。
【０００３】
図において、上面にトナー１による像が形成された媒体３は図において矢印方向に一定速度で搬送される。
【０００４】
フラッシュランプ５は、両端に主電極が設けられ、内部にキセノン（Ｘｅ）ガス等の希ガスが封入された発光管７と、発光管７の外周面上に配置され、主電極間の放電を開始させる時には高電圧が印加される１本のトリガー電極９とからなっている。
【０００５】
フラッシュランプ５の回りには、フラッシュランプ５からの光を媒体３方向へ反射する反射板１１が設けられている。さらに、フラッシュランプ５と媒体３との間には、飛散する未定着のトナー１がフラッシュランプ５に付着するのを防止するためにガラス１３が配置される（例えば、特許文献１参照）。
【０００６】
上記構成の作動を説明する。
【０００７】
フラッシュランプ５のトリガー電極９にパルス状の高電圧が印加されると、発光管７内の希ガス中にトリガー電極９に沿って絶縁破壊が起こり、発光管７の主電極間でアーク放電が発生して発光する。この発光（フラッシュ光ともいう）の輻射熱で媒体３上のトナー１が溶融し、定着が行われる。
【０００８】
フラッシュランプ５はトリガー電極９にパルス状の高電圧が印加された時のみ発光するので、その発光は間歇的な発光となる。
【０００９】
【特許文献１】
特開平７−１３４５７号公報（第２〜第４頁、図１、図２、図５）
【００１０】
【発明が解決しようとする課題】
従来、高速の印刷装置は、低解像度（２４０ｄｐｉ（ドット／２５．４ｍｍ）程度）のものが一般的であったが、近年、高速印刷装置においても高画質化、イメージ画像の出力の要求に伴い、高解像度化（６００ｄｐｉ以上）が求められている。
【００１１】
しかし、フラッシュ光によりトナー像を定着するフラッシュ定着装置では、解像度６００ｄｐｉ以上のハーフトーン画像を定着すると、濃淡ムラが顕在化し、高画質化の妨げになる問題点がある。
【００１２】
ここで、図９のような構成のフラッシュ定着装置を用いたプリンタにより、解像度６００ｄｐｉで１ｏｎ１ｏｆｆの副走査方向ラインを印字した結果を濃度測定計にて測定し、発光エネルギに数値化したものを図１０に示す。
【００１３】
図示するように、フラッシュ光が重複する部分と重複しない１回のフラッシュ照射部分とでエネルギ差ができ、濃淡ムラが生じている。
【００１４】
一方、反射板１１は、図１１に示すように、一回のフラッシュで照射される媒体３の搬送方向（ｗ）内の発光エネルギ分布が以下のようになるように設定されている。
【００１５】
即ち、中央部の略一定のｆ（ｘ）、両側に離れるに従って減少するｇ（ｘ）、ｇ’（ｖ／ｆ＋ｘ）、の分布を持ち、トナー物性が非可逆変化を開始するエネルギをβ、発光周波数をｆ［Ｈｚ］、媒体の搬送速度をｖ［ｍｍ／ｓ］、発光エネルギのムラをδ［％］とする時、
ｇ（ｘ）＋ｇ’（ｖ／ｆ＋ｘ）−β＝ｆ（ｘ）＋δ……（１）
が成り立つように各値を設定するようにしている。なおδ＝±７．０％としている。
【００１６】
通常、濃淡ムラの主観評価を説明する図１２に示すように、印字結果を数値化した濃淡ムラで±９％、同様に発光エネルギのムラで±９％を超えると濃淡ムラが目立ち始め、主観評価で不合格となる。
【００１７】
濃淡ムラは、ハイライト濃度、定着前の現像プロセスの特性、転写効率、各部材の組立バラツキなどで決定される。
【００１８】
一例として、反射板１１とフラッシュランプ５との組立のバラツキで説明する。図１３は反射板１１がフラッシュランプ５に対して回転して設けられた場合の濃淡ムラを示し、図１４は反射板１１がフラッシュランプ５に対して媒体の搬送方向にずれて設けられた場合の濃淡ムラを示している。
【００１９】
図１３（ａ）に示すように、反射板１１がフラッシュランプ５に対して基準通り（Ｉ）、基準より＋α°回転（ＩＩ）、基準より−α°回転（ＩＩＩ）、してそれぞれ取り付けられた場合、フラッシュランプ５の一回のフラッシュで照射される発光エネルギ分布は図１３（ｂ）に示すようになる。そして、媒体３を搬送しながら印字した場合の媒体３の搬送方向のエネルギ分布は図１３（ｃ）に示すようになる。
【００２０】
又、図１４（ａ）に示すように、反射板１１がフラッシュランプ５に対して媒体３の搬送方向に基準通りに（Ｉ）、基準より＋γｍｍずれて（ＩＩ）、基準より−γｍｍずれて（ＩＩＩ）、それぞれ取り付けられた場合、フラッシュランプ５の一回のフラッシュで照射される発光エネルギ分布は図１４（ｂ）に示すようになる。そして、媒体３を搬送しながら印字した場合の媒体３の搬送方向のエネルギ分布は図１４（ｃ）に示すようになる。
【００２１】
各条件でのエネルギ分布の最大値、最小値、δ値をまとめた図である図１３（ｄ）、図１４（ｄ）に示すように、反射板５が基準に対して±α°、±γｍｍの取付ずれを生じた場合、各δ値は±８．０〜±９．０％近辺となり、発光エネルギムラ上限に近くなる。
【００２２】
しかし、装置の高解像度、高速化に伴い上記プロセスの設計マージンが非常に狭くなってきており、濃淡ムラ（発光エネルギムラ）が少なくなることが要望されている。
【００２３】
本発明は上記問題点に鑑みてなされたもので、その課題は、濃淡ムラのないフラッシュ定着装置及びフラッシュランプを提供することにある。
【００２４】
【課題を解決するための手段】
図１は請求項１記載の発明、請求項５記載の発明の原理図である。
【００２５】
図において、媒体５１上にはトナー５３によるトナー像が形成されている。
【００２６】
発光し、その輻射熱で媒体５１のトナー像を定着させるフラッシュランプ５５は、円筒状の発光管５７と、発光管５７の外周面上に、発光管５７の軸Ｏと略平行に配置されるトリガー電極５９とを有している。
【００２７】
本発明では、トリガー電極５９は、第１トリガー電極６１と第２トリガー電極６３の２本の電極からなっている。
【００２８】
そして、発光管５７の軸Ｏと直交する断面上で、軸Ｏを通り、媒体５１のトナー像が形成された面と平行な直線Ｌと、発光管５７の外周面との交点を基準として、角度位置０°±３０°の範囲Ａに第１トリガー電極６１が設けられ、角度位置１８０°±３０°の範囲Ｂに第２トリガー電極６３が設けられている。
【００２９】
第１トリガー電極６１、第２トリガー電極６３にパルス状の高電圧を印加すると、発光管５７内で、第１トリガー電極６１、第２トリガー電極６３に沿って絶縁破壊が起こり、発光管５７内でアーク放電が発生して発光する。
【００３０】
発光管５７内の２箇所同時に絶縁破壊を生じさせることで、１本のフラッシュランプ５５で第１発光領域Ｃ、第２発光領域Ｄが発生し、フラッシュランプを２本有する効果とほぼ同等となり、フラッシュ光が重複する部分と重複しない１回のフラッシュ照射部分とでのエネルギ差が緩和され、濃淡ムラがなくなる。
【００３１】
尚、角度位置０°±３０°、角度位置１８０°±３０°の範囲をこれ以上広げると、第１トリガー電極６１による第１発光領域Ｃと第２トリガー電極６３により第２発光領域Ｄとが接触する場合があり、これはトリガー電極１本の場合と略同じ発光領域となり、発光エネルギのムラが緩和されず、濃淡ムラもなくならない。
【００３２】
請求項２記載の発明は、前記トリガー電極は、前記発光管の外周面上に形成された導電性金属の皮膜であることを特徴とする請求項１記載のフラッシュ定着装置である。
【００３３】
トリガー電極は、前記発光管の外周面上に形成された導電性金属の皮膜であることにより、フラッシュランプの組付けが容易となる。
【００３４】
請求項３記載の発明は、前記トリガー電極は、前記発光管外周面に沿って配置された導電性金属棒であることを特徴とする請求項１記載のフラッシュ定着装置である。
【００３５】
導電性金属皮膜よりコストダウンを図ることができる。
【００３６】
請求項４記載の発明は、前記導電性金属棒と、前記発光管の外周面との間隔は、０．５ｍｍ以下であることを特徴とする請求項４記載のフラッシュ定着装置である。
【００３７】
前記導電性金属棒と、前記発光管の外周面との間隔を０．５ｍｍ以下としたことにより、発光管内での絶縁破壊が起こりやすく、第１トリガー電極、第２トリガー電極両方同時に発光することが容易にできる。又、前記導電性属棒と、前記発光管の外周面との間隔が０．５ｍｍより広がると、発光管内での絶縁破壊が起こりにくくなり、第１トリガー電極、第２トリガー電極両方同時に発光することが難しくなる。
【００３８】
【発明の実施の形態】
次に図面を用いて本発明の実施の形態例を説明する。
【００３９】
最初に、図２を用いて本実施の形態例のフラッシュ定着装置が設けられる印刷装置の全体構成及びその作動を説明する。
【００４０】
図に示すように、用紙ホッパ１１１の連続用紙（媒体）１０２は、連続送りされて、転写器１０７及びフラッシュ定着装置１１３を経てスタッカ１１２に収容される。時計方向に回転される感光体ドラム１０４は、帯電器１０３により一様帯電された後、光学系１０５により画像が露光される。これにより、感光体ドラム１０４に画像に応じた静電潜像が形成される。感光体ドラム１０４の静電潜像は、現像器１０６により現像された後、感光体ドラム１０４のトナー像が、転写器１０７により連続用紙１０２に転写される。転写後、感光体ドラム１０４は除電器１０９により除電され、残留トナーはクリーナブレード１０８、クリーナブラシ１１０によりクリーニングされる。トナー像が転写された連続用紙１０２はフラッシュ定着装置１１３により、フラッシュ定着された後、スタッカ１１２に収容される。
【００４１】
次に、図３を用いて図２のフラッシュ定着装置１１３の全体構成を説明する。フラッシュランプ１０１には、アーク長５０２ｍｍ、円筒のオゾンレス石英ガラス管内にＸｅ（キセノン）ガス２２０Ｔｏｏｒ封入したものを使用した。
【００４２】
また、フラッシュランプ１０１と連続用紙１０２との間に設けられるガラス１２２は、従来の火炎溶融石英ガラスに比べ、赤外光域の透過率が向上したＶＡＤ法有水合成石英ガラスを用いたものを用いた。又、トナーも赤外光域に吸収波長をもつものを用い、定着性向上を図っている。反射板１２３は、内側の面をアルミ蒸着後、増反射処理を施したものを使用した。
【００４３】
請求項４記載の発明は、前記導電性金属棒と、前記発光管の外周面との間隔は、０．５ｍｍ以下であることを特徴とする請求項４記載のフラッシュ定着装置である。
【００４４】
前記導電性金属棒と、前記発光管の外周面との間隔が０．５ｍｍより広がると、発光管内での絶縁破壊が起こりにくくなり、第１トリガー電極、第２トリガー電極両方同時に発光することが難しくなる。
【００４５】
次に、図３のフラッシュランプ１０１の軸方向の断面図である図４を用いてフラッシュランプの説明を行う。フラッシュランプ１０１は、円筒状の発光管１５７と、発光管１５７の外周面上に、発光管１５７の軸Ｏと略平行に配置されるトリガー電極１５９とを有している。本実施の形態例のフラッシュランプ１０１のトリガー電極１５９は、導電性金属棒の第１トリガー電極１６１と第２トリガー電極１６３の２本の電極からなっている。本実施の形態例では、第１トリガー電極１６１、第２トリガー電極１６３の材質をステンレスとしたが、他に、アルミニウム合金、タングステン、チタンであっても良い。さらに、発光管１５７の外周面に導電性の金属皮膜を形成し、第１トリガー電極１６１、第２トリガー電極１６３としてもよい。導電性の金属皮膜としては、酸化インジウム・スズ（ＩＴＯ）、酸化亜鉛、酸化スズがあるが限定するものではない。第１トリガー電極１６１、第２トリガー電極１６３と、発光管１５７の外周面との間隔（ｔ）は、０．５ｍｍ以下とした。  間隔（ｔ）が０．５ｍｍより広がると、発光管１５７内での絶縁破壊が起こりにくくなり、第１トリガー電極１６１、第２トリガー電極１６３両方同時に発光することが難しくなるからである。
【００４６】
発光管１５７の両端には、主電極（陽極）１３１、主電極（陰極）１３３が設けられている。尚、１３５は第１トリガー電極１６１、第２トリガー電極１６３にパルス状の高電圧が印加するリード線である。
【００４７】
次に、フラッシュ定着装置１１３の断面図である図５を用いて、第１トリガー電極１６１、第２トリガー電極１６３の配置箇所を説明する。
【００４８】
発光管１５７の軸Ｏと直交する断面上で、軸Ｏを通り、連続用紙１０２のトナー１２１による像が形成された面と平行な直線Ｌ′と、発光管１５７の外周面との交点を基準として、角度位置０°±３０°の範囲Ａ′に第１トリガー電極１６１を設け、角度位置１８０°±３０°の範囲Ｂ′に第２トリガー電極１６３を設けた。
【００４９】
次に、上記構成のフラッシュランプ１０１の作動を説明する。第１トリガー電極１６１、第２トリガー電極１６３にパルス状の高電圧を印加すると、発光管１５７内で、第１トリガー電極１６１、第２トリガー電極１６３に沿って絶縁破壊が起こり、発光管１５７内でアーク放電が発生して発光する。
【００５０】
発光管１５７内で、同時に２箇所で絶縁破壊を生じさせることで、１本のフラッシュランプ１０１で２つの発光領域、即ち、第１発光領域Ｃ′、第２発光領域Ｄ′が同時に発生する。
【００５１】
このような構成によれば、以下のような効果を得ることができる。
【００５２】
図６に示すように、フラッシュランプ１０１の第１発光領域Ｃ′第２発光領域Ｄ′から、反射板１２３の点Ｅに向かって同時に光線Ｌ１、光線Ｌ２が発光されたとする。反射板１２３の点Ｅを含む面への光線Ｌ１、光線Ｌ２の入射角は相違するため、反射角は異なる。その後、反射板１２３の他の面で反射して、最終的に連続用紙１０２の異なった場所、点Ｆ、点Ｇに到達する。尚、点Ｆ、点Ｇは、フラッシュ光が重複する部分である。
【００５３】
又、点Ｆには第２発光領域Ｄ′からの光線も反射板１２３で反射して到達する。同様に、点Ｇにも第１発光領域Ｃ′からの光線が到達する。
【００５４】
即ち、フラッシュランプを２本有する効果とほぼ同等となり、フラッシュ光が重複する部分と重複しない１回のフラッシュ照射部分とでのエネルギ差が緩和され、濃淡ムラがなくなる。
【００５５】
尚、角度位置０°±３０°、角度位置１８０°±３０°の範囲をこれ以上広げると、図５において、第１トリガー電極１６１による第１発光領域Ｃと第２トリガー電極１６３により第２発光領域Ｄとが接触する場合があり、これはトリガー電極１本の場合と略同じ発光領域となり、発光エネルギのムラが緩和されず、濃淡ムラもなくならない。
【００５６】
又、図７に示すように、トリガー電極を３本またはそれ以上設ける場合は以下のような問題点がある。
（１）トリガー電極２０１〜トリガー電極２０３が導電性の棒状である場合、トリガー電極２０１〜トリガー電極２０３と発光管１５７の外周面との間隔の管理が難しくなる。
（２）トリガー電極の数を増やすと、トリガー電極により発光しない部分の面積が増え、発光効率が落ちる。
【００５７】
このような理由により、トリガー電極は２本が好ましい。
【００５８】
（付記１）  フラッシュランプを発光させ、その輻射熱により媒体上に形成されたトナー像を定着させるフラッシュ定着装置において、
前記フラッシュランプは、円筒状の発光管と、該発光管の外周面上に、前記発光管の軸と略平行に配置される２つのトリガー電極とを有し、
前記発光管の軸と直交する断面上で、前記軸を通り、前記媒体のトナー像が形成された面と平行な直線と、前記発光管の外周面との交点を基準として、
角度位置０°±３０°の範囲に第１トリガー電極を、
角度位置１８０°±３０°の範囲に第２トリガー電極を、
それぞれ設けたことを特徴とするフラッシュ定着装置。
【００５９】
（付記２）  前記トリガー電極は、前記発光管の外周面上に形成された導電性金属の皮膜であることを特徴とする付記１記載のフラッシュ定着装置。
【００６０】
（付記３）  前記導電性皮膜は、酸化インジウム・スズ、酸化亜鉛、酸化スズのいずれかであることを特徴とする付記２記載のフラッシュ定着装置。
【００６１】
（付記４）  前記トリガー電極は、前記発光管外周面に沿って配置された導電性金属棒であることを特徴とする付記１記載のフラッシュ定着装置。
【００６２】
（付記５）  前記導電性金属棒は、ステンレス、アルミニウム合金、タングステン、チタンのうちのいずれかであることを特徴とする付記４記載のフラッシュ定着装置。
【００６３】
（付記６）  前記導電性金属棒と、前記発光管の外周面との間隔は、０．５ｍｍ以下であることを特徴とする付記４または５記載のフラッシュ定着装置。
【００６４】
（付記７）  円筒状の発光管と、該発光管の外周面上に、前記発光管の軸と略平行に配置されるトリガー電極とを有するフラッシュランプにおいて、
前記発光管の軸と直交する断面上で、前記軸を通る直線と前記発光管の外周面との交点を基準として、
角度位置０°±３０°の範囲に第１トリガー電極を
角度位置１８０°±３０°の角度位置の範囲に第２トリガー電極を
それぞれ設けたことを特徴とするフラッシュランプ。
【００６５】
【実施例】
本願発明者は、本実施の形態例の効果を確認するために、図５に示すような構成のフラッシュランプ１０１を用いて、反射板１２３がフラッシュランプ１０１に対して回転して設けられた場合の濃淡ムラを測定した。図８（ａ）は反射板１２３がフラッシュランプ１０１に対して基準通り（Ｉ）、基準より＋α°回転（ＩＩ）、基準より−α°回転（ＩＩＩ）、してそれぞれ取り付けられ、連続用紙１０２を搬送しながら印字した場合の連続用紙１０２の搬送方向のエネルギ分布を示す。
【００６６】
各条件のエネルギ分布の最大値、最小値、δ値をまとめた図である図８（ｂ）に示すように、エネルギの最大値、最小値の差が小さくなり、δ値も６％台に収まることが確認された。
【００６７】
【発明の効果】
以上述べたように請求項１記載の発明によれば、第１トリガー電極、第２トリガー電極を設けたことにより、発光管内での２箇所同時に発光するので、フラッシュランプを２本有する効果とほぼ同等となり、フラッシュ光が重複する部分と重複しない１回のフラッシュ照射部分とでのエネルギ差が緩和され、濃淡ムラがなくなる。
【００６８】
又、前記発光管の軸と直交する断面上で、前記軸を通り、前記媒体のトナー像が形成された面と平行な直線と、前記発光管の外周面との交点を基準として、角度位置０°±３０°の範囲に第１トリガー電極を、角度位置１８０°±３０°の範囲に第２トリガー電極をそれぞれ設けたことにより、発光領域が重なり、濃淡ムラが激しい１つの発光領域となることを防止できる。
【００６９】
請求項２記載の発明によれば、トリガー電極は、前記発光管の外周面上に形成された導電性金属の皮膜であることにより、フラッシュランプの組付けが容易となる。
【００７０】
請求項３記載の発明によれば、導電性金属皮膜よりコストダウンを図ることができる。
【００７１】
請求項４記載の発明によれば、前記導電性金属棒と、前記発光管の外周面との間隔を０．５ｍｍ以下としたことにより、発光管内での絶縁破壊が起こりやすく、第１トリガー電極、第２トリガー電極両方同時に発光することが容易にできる。又、前記導電性金属棒と、前記発光管の外周面との間隔が０．５ｍｍより広がると、発光管内での絶縁破壊が起こりにくくなり、第１トリガー電極、第２トリガー電極両方同時に発光することが難しくなる。
【図面の簡単な説明】
【図１】請求項１、請求項５記載の発明の原理図である。
【図２】実施の形態例のフラッシュ定着装置が設けられた印刷装置の構成図である。
【図３】図２のフラッシュ定着装置の斜視図である。
【図４】図３のフラッシュランプの軸方向の断面図である。
【図５】図２のフラッシュ定着装置の断面図である。
【図６】実施の形態例の効果を説明する図である。
【図７】トリガー電極が３本あるフラッシュランプの断面図である。
【図８】反射板が実施の形態例のフラッシュランプに対して回転して設けられた場合の濃淡ムラを説明する図である。
【図９】フラッシュ定着装置の構成図である。
【図１０】図９のような構成のフラッシュ定着装置を用いたプリンタにより、解像度６００ｄｐｉで１ｏｎ１ｏｆｆの副走査方向ラインを印字した結果を濃度測定計にて数値化したものを示す図である。
【図１１】図９の反射板を用いたフラッシュランプの光エネルギの分布を説明する図である。
【図１２】発光エネルギ、印字の濃淡ムラの主観評価を説明する図である。
【図１３】反射板がフラッシュランプに対して回転して設けられた場合の濃淡ムラを説明する図である。
【図１４】反射板がフラッシュランプに対して媒体の搬送方向にずれて設けられた場合の濃淡ムラを説明する図である。
【符号の説明】
５１  媒体
５３  トナー
５５  フラッシュランプ
５７  発光管
６１  第１トリガー電極
６３  第２トリガー電極
【図１】
2004184478.tif 000003
【図２】
2004184478.tif 000004
【図３】
2004184478.tif 000005
【図４】
2004184478.tif 000006
【図５】
2004184478.tif 000007
【図６】
2004184478.tif 000008
【図７】
2004184478.tif 000009
【図８】
2004184478.tif 000010
【図９】
2004184478.tif 000011
【図１０】
2004184478.tif 000012
【図１１】
2004184478.tif 000013
【図１２】
2004184478.tif 000014
【図１３】
2004184478.tif 000015
【図１４】
2004184478.tif 000016